(57)【要約】  実績属性データ取得手段（１２１）と劣化度データ取得手段（１２２）は、船舶に配置される端末装置から実績属性データと劣化度データを取得する。実績属性データは、船舶の過去に行われた航行の状態に関する属性を示す。劣化度データは、船舶に搭載されている機器の各々に関し、保守作業の際に作業員が確認した機器の劣化の程度を示す。関係データ生成手段（１２３）は、機器の各々に関し、実績属性データと劣化度データに基づき、船舶の航行の状態に関する各種の属性と機器の劣化度との関係を示す関係データを生成する。推定属性データ取得手段（１２５）は、船舶の航行に関する属性の推定値を示す推定属性データを取得する。時期データ生成手段（１２６）は、実績属性データ、推定属性データ、関係データに基づき、機器の保守作業の時期を示す時期データを生成する。
2016166812.tif 000002
【特許請求の範囲】
【請求項１】
船舶の航行の状態に関する１以上の属性の各々に関し、前記船舶が過去に行った航行における当該属性の実績を示す実績属性データを取得する実績属性データ取得手段と、  前記船舶に搭載されている機器の保守作業において特定された前記機器の劣化度を示す劣化度データを取得する劣化度データ取得手段と、  前記実績属性データ取得手段により取得された実績属性データが示す属性と、前記劣化度データ取得手段により取得された劣化度データが示す劣化度との関係を示す関係データを生成する関係データ生成手段と  を備える装置。
【請求項２】
前記１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む  請求項１に記載の装置。
【請求項３】
船舶の航行の状態に関する１以上の属性の各々と、前記船舶に搭載されている機器の劣化度との関係を示す関係データを取得する関係データ取得手段と、  前記１以上の属性の各々に関し、前記船舶が過去に行った航行における当該属性の実績を示す実績属性データを取得する実績属性データ取得手段と、  前記１以上の属性の各々に関し、前記船舶の航行において推定される当該属性を示す推定属性データを取得する推定属性データ取得手段と、  前記関係データ取得手段により取得された関係データ、前記実績属性データ取得手段により取得された実績属性データ、および前記推定属性データ取得手段により取得された推定属性データに基づき、前記機器の保守作業の時期を示す時期データを生成する時期データ生成手段と  を備える装置。
【請求項４】
前記推定属性データ取得手段は、前記実績属性データ取得手段により取得された実績属性データが示す前記船舶が過去に行った航行における前記１以上の属性の実績に基づき、前記船舶の航行における前記１以上の属性を推定し、当該推定した属性を示す推定属性データを生成することにより取得する  請求項３に記載の装置。
【請求項５】
前記船舶の航行のスケジュールを示す航行スケジュールデータを取得する航行スケジュールデータ取得手段と、  前記時期データ生成手段により生成された時期データと、前記航行スケジュールデータ取得手段により取得された航行スケジュールデータとに基づき、前記機器の保守作業の時期および場所を示す保守作業スケジュールデータを生成する保守作業スケジュールデータ生成する保守作業スケジュールデータ生成手段と  を備える請求項３または４に記載の装置。
【請求項６】
前記１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む  請求項３乃至５のいずれか１項に記載の装置。
【請求項７】
コンピュータに、  船舶の航行の状態に関する１以上の属性の各々に関し、前記船舶が過去に行った航行における当該属性の実績を示す実績属性データを取得する処理と、  前記船舶に搭載されている機器の保守作業において特定された前記機器の劣化度を示す劣化度データを取得する処理と、  前記実績属性データが示す属性と、前記劣化度データが示す劣化度との関係を示す関係データを生成する処理と  を実行させるためのプログラム。
【請求項８】
コンピュータに、  船舶の航行の状態に関する１以上の属性の各々と、前記船舶に搭載されている機器の劣化度との関係を示す関係データを取得する処理と、  前記１以上の属性の各々に関し、前記船舶が過去に行った航行における当該属性の実績を示す実績属性データを取得する処理と、  前記１以上の属性の各々に関し、前記船舶の航行において推定される当該属性を示す推定属性データを取得する処理と、  前記関係データ、前記実績属性データ、および前記推定属性データに基づき、前記機器の保守作業の時期を示す時期データを生成する処理と  を実行させるためのプログラム。
【請求項９】
コンピュータに、  船舶の航行の状態に関する１以上の属性の各々に関し、前記船舶が過去に行った航行における当該属性の実績を示す実績属性データを取得する処理と、  前記船舶に搭載されている機器の保守作業において特定された前記機器の劣化度を示す劣化度データを取得する処理と、  前記実績属性データが示す属性と、前記劣化度データが示す劣化度との関係を示す関係データを生成する処理と  を実行させるためのプログラムを持続的に記録するコンピュータ読み取り可能な記録媒体。
【請求項１０】
コンピュータに、  船舶の航行の状態に関する１以上の属性の各々と、前記船舶に搭載されている機器の劣化度との関係を示す関係データを取得する処理と、  前記１以上の属性の各々に関し、前記船舶が過去に行った航行における当該属性の実績を示す実績属性データを取得する処理と、  前記１以上の属性の各々に関し、前記船舶の航行において推定される当該属性を示す推定属性データを取得する処理と、  前記関係データ、前記実績属性データ、および前記推定属性データに基づき、前記機器の保守作業の時期を示す時期データを生成する処理と  を実行させるためのプログラムを持続的に記録するコンピュータ読み取り可能な記録媒体。
【発明の詳細な説明】
【技術分野】
【０００１】  本発明は、船舶に搭載されている機器の保守作業の時期を特定するための技術に関する。
【背景技術】
【０００２】  産業に用いられる機器に対しては、通常、機器の製造者により、保守作業が行われるべき時期が指定されている。例えば、エンジンの運転時間が１２，０００時間に達する毎に当該エンジンのピストンに関する保守作業を行うように指定されている、という具合である。【０００３】  機器の劣化の程度は、機器が運転時に受けた負荷の大小によっても左右される。従って、機器が受けた負荷の大小を考慮することにより、機器の保守作業が行われるべき時期を特定する技術が提案されている。【０００４】  例えば、特許文献１には、機械が使用経過において受けた負荷の度合いを考慮した使用時間に基づき、当該機械を構成する部品の正確な交換時期を把握する技術が提案されている。
【先行技術文献】
【特許文献】
【０００５】
【特許文献１】特開２００７−２０６００７
【発明の概要】
【発明が解決しようとする課題】
【０００６】  船舶に搭載されている機器に関しても、通常、当該機器の製造者により、保守作業が行われるべき時期が指定されている。ただし、船舶に搭載されている機器の劣化の程度は、機器の運転時間や機器が受ける負荷の大小に加えて、船速、船舶の姿勢、船舶が遭遇する気象または海象、主機が使用する燃料油の種別等の様々な要素によって左右される。【０００７】  上記のような事情に鑑み、本発明は、船舶に搭載されている機器の保守作業の時期の特定を可能とする手段を提供することを目的とする。
【課題を解決するための手段】
【０００８】  上記課題を解決するため、本発明は、船舶の航行の状態に関する１以上の属性の各々に関し、前記船舶が過去に行った航行における当該属性の実績を示す実績属性データを取得する実績属性データ取得手段と、前記船舶に搭載されている機器の保守作業において特定された前記機器の劣化度を示す劣化度データを取得する劣化度データ取得手段と、前記実績属性データ取得手段により取得された実績属性データが示す属性と、前記劣化度データ取得手段により取得された劣化度データが示す劣化度との関係を示す関係データを生成する関係データ生成手段とを備える装置を提供する。【０００９】  上記の装置において、前記１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む、という構成が採用されてもよい。【００１０】  また、本発明は、船舶の航行の状態に関する１以上の属性の各々と、前記船舶に搭載されている機器の劣化度との関係を示す関係データを取得する関係データ取得手段と、前記１以上の属性の各々に関し、前記船舶が過去に行った航行における当該属性の実績を示す実績属性データを取得する実績属性データ取得手段と、前記１以上の属性の各々に関し、前記船舶の航行において推定される当該属性を示す推定属性データを取得する推定属性データ取得手段と、前記関係データ取得手段により取得された関係データ、前記実績属性データ取得手段により取得された実績属性データ、および前記推定属性データ取得手段により取得された推定属性データに基づき、前記機器の保守作業の時期を示す時期データを生成する時期データ生成手段とを備える装置を提供する。【００１１】  上記の装置において、前記推定属性データ取得手段は、前記実績属性データ取得手段により取得された実績属性データが示す前記船舶が過去に行った航行における前記１以上の属性の実績に基づき、前記船舶の航行における前記１以上の属性を推定し、当該推定した属性を示す推定属性データを生成することにより取得する、という構成が採用されてもよい。【００１２】  また、上記の装置において、前記船舶の航行のスケジュールを示す航行スケジュールデータを取得する航行スケジュールデータ取得手段と、前記時期データ生成手段により生成された時期データと、前記航行スケジュールデータ取得手段により取得された航行スケジュールデータとに基づき、前記機器の保守作業の時期および場所を示す保守作業スケジュールデータを生成する保守作業スケジュールデータ生成する保守作業スケジュールデータ生成手段とを備える、という構成が採用されてもよい。【００１３】  また、上記の装置において、前記１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む、という構成が採用されてもよい。【００１４】  また、本発明は、コンピュータに、船舶の航行の状態に関する１以上の属性の各々に関し、前記船舶が過去に行った航行における当該属性の実績を示す実績属性データを取得する���理と、前記船舶に搭載されている機器の保守作業において特定された前記機器の劣化度を示す劣化度データを取得する処理と、前記実績属性データが示す属性と、前記劣化度データが示す劣化度との関係を示す関係データを生成する処理とを実行させるためのプログラムを提供する。【００１５】  また、本発明は、コンピュータに、船舶の航行の状態に関する１以上の属性の各々と、前記船舶に搭載されている機器の劣化度との関係を示す関係データを取得する処理と、前記１以上の属性の各々に関し、前記船舶が過去に行った航行における当該属性の実績を示す実績属性データを取得する処理と、前記１以上の属性の各々に関し、前記船舶の航行において推定される当該属性を示す推定属性データを取得する処理と、前記関係データ、前記実績属性データ、および前記推定属性データに基づき、前記機器の保守作業の時期を示す時期データを生成する処理とを実行させるためのプログラムを提供する。【００１６】  また、本発明は、コンピュータに、船舶の航行の状態に関する１以上の属性の各々に関し、前記船舶が過去に行った航行における当該属性の実績を示す実績属性データを取得する処理と、前記船舶に搭載されている機器の保守作業において特定された前記機器の劣化度を示す劣化度データを取得する処理と、前記実績属性データが示す属性と、前記劣化度データが示す劣化度との関係を示す関係データを生成する処理とを実行させるためのプログラムを持続的に記録するコンピュータ読み取り可能な記録媒体を提供する。【００１７】  また、本発明は、コンピュータに、船舶の航行の状態に関する１以上の属性の各々と、前記船舶に搭載されている機器の劣化度との関係を示す関係データを取得する処理と、前記１以上の属性の各々に関し、前記船舶が過去に行った航行における当該属性の実績を示す実績属性データを取得する処理と、前記１以上の属性の各々に関し、前記船舶の航行において推定される当該属性を示す推定属性データを取得する処理と、前記関係データ、前記実績属性データ、および前記推定属性データに基づき、前記機器の保守作業の時期を示す時期データを生成する処理とを実行させるためのプログラムを持続的に記録するコンピュータ読み取り可能な記録媒体を提供する。
【発明の効果】
【００１８】  本発明によれば、船舶が過去に行った航行の状態に関する属性と過去の保守作業において特定された機器の劣化度に基づき、それらの属性と機器の劣化度との関係が特定される。そして、当該関係に基づき、機器の保守作業の時期が特定される。その結果、船舶に搭載されている機器の保守作業の時期が特定される。
【図面の簡単な説明】
【００１９】
【図１】一実施形態にかかる保守作業管理システムの全体構成を示した図である。
【図２】一実施形態にかかる端末装置のハードウェアとして採用されるコンピュータの基本構成を示した図である。
【図３】一実施形態にかかるサーバ装置のハードウェアとして採用されるコンピュータの基本構成を示した図である。
【図４】一実施形態にかかる端末装置の機能構成を示した図である。
【図５】一実施形態にかかる保守作業管理システムにおいて用いられる実績航路テーブルの構成を例示した図である。
【図６】一実施形態にかかる保守作業管理システムにおいて用いられる実績姿勢テーブルの構成を例示した図である。
【図７】一実施形態にかかる保守作業管理システムにおいて用いられる実績気象海象テーブルの構成を例示した図である。
【図８】一実施形態にかかる保守作業管理システムにおいて用いられる実績主機燃料油テーブルの構成を例示した図である。
【図９】一実施形態にかかる保守作業管理システムにおいて用いられる実績船速テーブルの構成を例示した図である。
【図１０】一実施形態にかかる保守作業管理システムにおいて用いられる実績主機運転テーブルの構成を例示した図である。
【図１１】一実施形態にかかる保守作業管理システムにおいて用いられる保守作業テーブルの構成を例示した図である。
【図１２】一実施形態にかかるサーバ装置の機能構成を示した図である。
【図１３】一実施形態にかかる保守作業管理システムにおいて用いられる航行スケジュールデータの構成を例示した図である。
【図１４】一実施形態にかかる保守作業管理システムにおいて用いられる保守作業制約条件テーブルの構成を示した図である。
【図１５】一実施形態にかかる保守作業管理システムにおいて用いられる保守作業スケジュールテーブルの構成を示した図である。
【図１６】一実施形態にかかる端末装置において表示される保守作業スケジュール表示画面を例示した図である。
【図１７】一変形例にかかる保守作業管理システムにおいて提示されるグラフを例示した図である。
【発明を実施するための形態】
【００２０】［実施形態］  以下に本発明の一実施形態にかかる保守作業管理システム１を説明する。保守作業管理システム１は、船舶に搭載されている機器の保守作業の時期を管理するためのシステムである。なお、本願において「機器」は保守作業の対象物を意味する。従って、例えば或る装置が互いに異なる保守作業の対象となる部品を複数有する場合、それらの部品の各々を「機器」という。
【００２１】  図１は、保守作業管理システム１の全体構成を示した図である。保守作業管理システム１は、船舶８に配置された端末装置１１と、通信衛星９を介して端末装置１１との間でデータ通信を行うサーバ装置１２と、サーバ装置１２に対し船舶８が航行中に遭遇する気象または海象を示す気象海象データを配信するサーバ装置１３と、端末装置１４を備える。端末装置１４は、例えば船舶８の管理会社の職員等がサーバ装置１２に記憶されるデータを閲覧するために使用する端末装置である。なお、図１において、船舶８および端末装置１１は各々、１つのみ記載されているが、船舶８および端末装置１１の数は保守作業管理システム１により保守作業の時期を管理する船舶の数等により変化する。また、図１において、端末装置１４は１つのみ記載されているが、端末装置１４の数は保守作業管理システム１を利用してデータ閲覧を行う管理会社の職員等のユーザ数により変化する。また、図１において、端末装置１４は陸上に配置されているが、端末装置１４の配置場所は陸上に限られない。
【００２２】  端末装置１１および端末装置１４のハードウェア構成は、例えば一般的な端末装置用のコンピュータである。図２は、端末装置１１および端末装置１４のハードウェアとして採用されるコンピュータ１０の基本構成を示した図である。コンピュータ１０は、各種データを記憶するメモリ１０１、メモリ１０１に記憶されているプログラムに従う各種データ処理を行うプロセッサ１０２、他の装置との間でデータ通信を行うＩＦ（Interface）である通信ＩＦ１０３、ユーザに対し画像を表示する液晶ディスプレイ等の表示装置１０４、ユーザの操作を受け付けるキーボード等の操作装置１０５を備える。なお、コンピュータ１０に内蔵される表示装置１０４に代えて、もしくは加えて、コンピュータ１０に接続される外付けの表示装置が用いられてもよい。また、コンピュータ１０に内蔵される操作装置１０５に代えて、もしくは加えて、コンピュータ１０に接続される外付けの操作装置が用いられてもよい。
【００２３】  サーバ装置１２およびサーバ装置１３のハードウェア構成は、例えば一般的なサーバ装置用のコンピュータである。図３は、サーバ装置１２またはサーバ装置１３のハードウェアとして採用されるコンピュータ２０の基本構成を示した図である。コンピュータ２０は、各種データを記憶するメモリ２０１、メモリ２０１に記憶されているプログラムに従う各種データ処理を行うプロセッサ２０２、他の装置との間でデータ通信を行う通信ＩＦ２０３を備える。
【００２４】  図４は、端末装置１１の機能構成を示した図である。すなわち、コンピュータ１０は、端末装置１１用のプログラムに従うデータ処理を実行することにより、図４に示す構成を備える装置として動作する。
【００２５】  端末装置１１は、まず、船舶８の過去または現在の航行の状態に関する各種の属性を示す実績属性データを取得する実績属性データ取得手段１１１を備える。実績属性データ取得手段１１１が取得する実績属性データのあるものは、船舶８に配置された各種の計測装置により計測された値を示し、それらの計測装置により生成されて端末装置１１に入力されたものである。また、実績属性データのあるものは、船舶８の乗組員等により入力されたものである。また、実績属性データのあるものは、上記のように取得された１以上の実績属性データを実績属性データ取得手段１１１が加工したものである。
【００２６】  また、実績属性データのあるものは、当該実績属性データが示す属性がどの期間における属性であるかを示す期間データを伴う。また、実績属性データのあるものは、当該実績属性データが示す属性が、どの時刻における属性であるかを示す時刻データを伴う。実績属性データ取得手段１１１は現在時刻を計測する計時手段を備えている。実績属性データ取得手段１１１は、期間データおよび時刻データのいずれも伴わない実績属性データを取得した場合、計時手段により計測された現在時刻を示す時刻データを、当該実績属性データに対応付ける。
【００２７】  また、実績属性データ取得手段１１１は記憶手段を備えている。実績属性データ取得手段１１１は、取得した実績属性データを当該実績属性データが示す属性がどの期間における属性であるかを示す期間データと対応付けて、記憶手段に一時的に記憶する。実績属性データ取得手段１１１は、実績属性データが時刻データに対応付けられている場合、例えば所定の時間間隔で定まる期間の各々に関し、当該期間中の時刻に応じた実績属性データが示す属性の代表値（例えば、平均値や中間値等）を特定し、当該特定した代表値を示す実績属性データを当該期間を示す期間データと対応付けて、記憶手段に一時的に記憶する。
【００２８】  実績属性データ取得手段１１１により取得される実績属性データには、船舶８が航行した航路に関するもの、船舶８の航行中の姿勢に関する属性を示すもの、船舶８が航行において遭遇した気象または海象に関する属性を示すもの、船舶８の主機の運転に用いられた燃料油に関する属性を示すもの、船舶８の船速に関するもの、船舶８に搭載されている装置の運転の状態に関する属性を示すもの等がある。
【００２９】  図５〜図１０は、実績属性データ取得手段１１１が実績属性データを一時的に記憶するためのテーブルの構成を例示した図である。
【００３０】  図５に例示のテーブル（以下、「実績航路テーブル」という）は、航路に関する属性を示す実績属性データを記憶するためのテーブルである。実績航路テーブルには、期間データに対応付けて、当該期間データが示す期間において船舶８が航行した海域および寄港した港を示す実績属性データが格納される。なお、実績航路テーブルに格納されるデータによれば、船舶８が或る期間内に寄港した回数も特定される。
【００３１】  図６に例示のテーブル（以下、「実績姿勢テーブル」という）は、船舶８の姿勢に関する属性を示す実績属性データを記憶するためのテーブルである。実績姿勢テーブルには、期間データに対応付けて、当該期間データが示す期間における船舶８の船首トリム、中間トリム、船尾トリムを示す実績属性データが格納される。
【００３２】  図７に例示のテーブル（以下、「実績気象海象テーブル」という）は、船舶８が遭遇した気象または海象に関する属性を示す実績属性データを記憶するためのテーブルである。実績気象海象テーブルには、期間データに対応付けて、当該期間データが示す期間に船舶８が遭遇した風速、風向、潮速、潮向、波高、波向、波周期、水温、気温を示す実績属性データが格納される。
【００３３】  図８に例示のテーブル（以下、「実績主機燃料油テーブル」という）は、主機が使用した燃料油に関する属性を示す実績属性データを記憶するためのテーブルである。実績主機燃料油テーブルには、期間データに対応付けて、当該期間データが示す期間に主機が消費した燃料油の補油地、販売者、油種（例えば、Ｃ重油、Ａ重油、低硫黄重油等）、粘度、硫黄含有量、シリカ含有量、アルミナ含有量を示す実績属性データが格納される。
【００３４】  図９に例示のテーブル（以下、「実績船速テーブル」という）は、船速に関する属性を示す実績属性データを記憶するためのテーブルである。実績船速テーブルには、期間データに対応付けて、当該期間データが示す期間における船舶８の対地船速、対水船速、プロペラスリップが格納される。
【００３５】  図１０に例示のテーブル（以下、「実績主機運転テーブル」という）は、船舶８に搭載されている主機（船舶８に搭載されている装置の一例）の運転の状態に関する属性を示す実績属性データを記憶するためのテーブルである。実績主機運転テーブルには、期間データに対応付けて、当該期間データが示す期間における主機の回転数、負荷、吸気温度、排気温度、シリンダ注油量を示す実績属性データが格納される。実績属性データ取得手段１１１は、船舶８に搭載されている主機以外の様々な装置の各々に関しても、実績主機運転テーブルと類似のテーブルを記憶し、取得した実績属性データをそれらのテーブルに格納する。
【００３６】  なお、図５〜図１０に示されるデータの種別は例示であって、船舶８に搭載されている機器の劣化の程度に影響を与え得る船舶８の航行の状態に関する属性を示すデータである限り、実績属性データ取得手段１１１が取得する実績属性データの種別は限定されない。
【００３７】  図４に戻り、端末装置１１の機能構成の説明を続ける。端末装置１１は、船舶８に搭載されている機器の劣化度を示す劣化度データを取得する劣化度データ取得手段１１２を備える。劣化度データ取得手段１１２が取得する劣化度データは、作業員が機器の保守作業を行った際に確認した当該機器の劣化度を示し、例えば作業員により入力されたものである。作業員は、保守作業において、適正なタイミングで保守作業が行われたと判断した場合は、劣化度として例えば１００を入力し、保守作業のタイミングが早すぎたと判断した場合は劣化度として例えば１００未満の値を入力し、保守作業のタイミングが遅すぎたと判断した場合は劣化度として例えば１００を超える値を入力する。劣化度データ取得手段１１２が取得する劣化度データには、作業員が劣化度の確認を行った時期と、その際に行った保守作業の内容とを示すデータが伴う。
【００３８】  劣化度データ取得手段１１２は記憶手段を備える。劣化度データ取得手段１１２は、取得した劣化度データおよび当該データに伴うデータを、記憶手段に一時的に記憶する。図１１は、劣化度データ取得手段１１２が劣化度データを一時的に記憶するためのテーブル（以下、「保守作業テーブル」という）の構成を例示した図である。保守作業テーブルには、作業員が劣化度の確認を行った日時、保守作業の対象の装置および部品（機器）の名称、保守作業の名称を示すデータと、劣化度データとが対応付けて格納される。
【００３９】  端末装置１１は、実績属性データ取得手段１１１により取得されたデータ（図５〜図１０参照）と、劣化度データ取得手段１１２により取得されたデータ（図１１参照）とをサーバ装置１２に送信する送信手段１１３を備える。送信手段１１３は、例えば所定時間の経過毎に、実績属性データ取得手段１１１に記憶されているデータと、劣化度データ取得手段１１２に記憶されているデータを、通信衛星９経由でサーバ装置１２に送信する。なお、実績属性データ取得手段１１１および劣化度データ取得手段１１２は、例えば、サーバ装置１２に送信されたデータをテーブル記憶手段から削除する。
【００４０】  また、端末装置１１は、サーバ装置１２から送信されてくる保守作業スケジュールデータを受信する受信手段１１４を備える。保守作業スケジュールデータは、船舶８に搭載されている機器の各々に関し、保守作業の時期および場所（例えば、将来における保守作業が行われるべき時期および場所）を示すデータである。
【００４１】  また、端末装置１１は、受信手段１１４により受信された保守作業スケジュールデータが示す情報をユーザに提示する画面（以下、「保守作業スケジュール表示画面」という）を表示するための表示手段１１５を備える。なお、表示手段１１５は表示装置を備え、保守作業スケジュール表示画面を自ら表示してもよいし、外部の表示装置に対し保守作業スケジュール表示画面の表示を指示してもよい。
【００４２】  以上が端末装置１１の機能構成である。続いて、サーバ装置１２の機能構成を説明する。図１２は、サーバ装置１２の機能構成を示した図である。すなわち、コンピュータ２０は、サーバ装置１２用のプログラムに従うデータ処理を実行することにより、図１２に示す構成を備える装置として動作する。
【００４３】  サーバ装置１２は、まず、端末装置１１から送信されてくる実績属性データを期間データと共に受信する実績属性データ取得手段１２１と、端末装置１１から送信されてくる劣化度データを日時等を示すデータと共に受信する劣化度データ取得手段１２２を備える。
【００４４】  また、サーバ装置１２は、実績属性データ取得手段１２１により取得されたデータ（実績属性データ等）と劣化度データ取得手段１２２により取得されたデータ（劣化度データ等）を用いて、船舶８に搭載されている機器の各々に関し、実績属性データが示す属性と劣化度データが示す劣化度との関係を示す関係データを生成する関係データ生成手段１２３を備える。
【００４５】  関係データ生成手段１２３は記憶手段を備え、過去に実績属性データ取得手段１２１から取得したデータと、過去に劣化度データ取得手段１２２から取得したデータを記憶手段に蓄積している。関係データ生成手段１２３は、記憶手段に蓄積しているこれらのデータを用いて、既知の統計手法に従い、機器の各々に関し各種の属性と劣化度との関係を示す関係式を特定する。以下、例として、関係データ生成手段１２３は、劣化度データが示す劣化度を目的変数、実績属性データが示す各種の属性を説明変数とする回帰分析を行い、それらの関係式を「劣化度算出式」として算出するものとする。この劣化度算出式を示すデータが、関係データの一例である。
【００４６】  また、サーバ装置１２は、船舶８の航行のスケジュールを示す航行スケジュールデータを取得する航行スケジュールデータ取得手段１２４を備える。航行スケジュールデータ取得手段１２４が取得する航行スケジュールデータは、例えば船舶８の運航管理者により入力されたデータである。
【００４７】  図１３は、航行スケジュールデータ取得手段１２４が取得する航行スケジュールデータの構成を例示した図である。航行スケジュールデータは、データフィールドとして［港・航行区間］、［期間］、［排水量］、［使用燃料油種］、［補油燃料油種］、［販売者］、［補油燃料油量］を有するテーブル形式のデータである。［港・航行区間］には、船舶８が寄港する港、または船舶８が航行する航行区間の名称が格納される。［期間］には、船舶８が［港・航行区間］に示される港に停泊する期間、または船舶８が［港・航行区間］に示される航行区間を航行する期間を示すデータが格納される。
【００４８】  ［排水量］には、船舶８が［港・航行区間］に示される航行区間を航行する際の排水量（船舶８により排除された水の量）を示すデータが格納される。［使用燃料油種］には、船舶８が［港・航行区間］に示される航行区間を航行する際に使用する燃料油の油種名が格納される。［補油燃料油種］には、船舶８が［港・航行区間］に示される港において補油する燃料油の油種名が格納される。［販売者］には、船舶８が［港・航行区間］に示される港において補油する燃料油の販売者名が格納される。［補油燃料油量］には、［補油燃料油種］に示される油種名の燃料油を［港・航行区間］に示される港において補油する補油量を示すデータが格納される。
【００４９】  また、サーバ装置１２は、船舶８の航行において推定される各種の属性を示す推定属性データを取得する推定属性データ取得手段１２５を備える。推定属性データ取得手段１２５が取得する推定属性データが示す属性の種類は、実績属性データ取得手段１２１が取得する実績属性データが示す属性の種類と同じである。従って、推定属性データ取得手段１２５が取得する推定属性データの構成は、図５〜図１０に例示したものと同様である。
【００５０】  推定属性データ取得手段１２５が取得する推定属性データには、サーバ装置１２から取得したデータ、推定属性データ取得手段１２５が生成することにより取得したデータ等が含まれる。推定属性データ取得手段１２５は記憶手段を備え、取得したデータを記憶手段に記憶する。
【００５１】  推定属性データ取得手段１２５は、航路に関する推定属性データを航行スケジュールデータ（図１３参照）に基づき生成する。例えば、推定属性データ取得手段１２５は、航行スケジュールデータ取得手段１２４から航行スケジュールデータを取得し、航行スケジュールデータが示す航行スケジュールに従う場合、船舶８がどの期間にどの港に停泊するか、また、どの期間にどの海域を航行するか、を特定する。推定属性データ取得手段１２５は、特定した結果を示すデータを、船舶８の航路に関する推定属性データとして図５に示されるテーブルと同様の構成のテーブル（以下、「推定航路テーブル」という）に格納する。
【００５２】  また、推定属性データ取得手段１２５は、船舶８の姿勢に関する推定属性データを、航行スケジュールデータ（図１３参照）に基づき生成する。例えば、推定属性データ取得手段１２５は、船舶８が航行スケジュールデータが示す航行スケジュールに従い航行した場合の燃料消費量を推定する。そして、推定属性データ取得手段１２５は、航行スケジュールデータが示す排水量および補油燃料油量と、推定した燃料消費量とに基づき、各期間における船舶８の船首トリム、中央トリム、船尾トリムを推定する。推定属性データ取得手段１２５は推定の結果を示すデータを、船舶８の姿勢に関する推定属性データとして図６に示されるテーブルと同様の構成のテーブル（以下、「推定姿勢テーブル」という）に格納する。
【００５３】  また、推定属性データ取得手段１２５は、気象または海象に関する推定属性データをサーバ装置１２から取得する。例えば、推定属性データ取得手段１２５は、航路に関する推定属性データが示す時期および海域の気象海象データをサーバ装置１２から取得し、気象または海象に関する推定属性データとして図７に示されるテーブルと同様の構成のテーブル（以下、「推定気象海象テーブル」という）に格納する。
【００５４】  また、推定属性データ取得手段１２５は、主機の燃料油に関する推定属性データを実績属性データに基づき生成する。例えば、推定属性データ取得手段１２５は、航路に関する推定属性データが示す航路上の補油地において過去に補油された燃料油に関する実績属性データが示す属性の代表値（例えば、油種の最頻値、最頻値を示す油種の燃料油の粘度の平均値等）を特定し、主機の燃料油に関する推定属性データとして図８に示されるテーブルと同様の構成のテーブル（以下、「推定主機燃料油テーブル」という）に格納する。
【００５５】  また、推定属性データ取得手段１２５は、船速に関する推定属性データを航行スケジュールデータおよび実績属性データに基づき生成する。例えば、推定属性データ取得手段１２５は、航行スケジュールデータが示す航行スケジュールに従い航行した場合の船舶８の各期間における対地船速を算出する。また、推定属性データ取得手段１２５は、気象または海象に関する推定属性データが示す気象または海象の下で、算出した対地船速で船舶８が航行した場合のプロペラスリップを、過去に同一または類似の条件下で船舶８が航行したときの船速に関する実績属性データが示すプロペラスリップに基づき推定する。また、推定属性データ取得手段１２５は、上記のように算出した対地船速と、上記のように推定したプロペラスリップに基づき、船舶８の対水船速を推定する。推定属性データ取得手段１２５は、上記のように算出または推定した対地船速、対水船速、プロペラスリップを示すデータを、船速に関する推定属性データとして図９に示されるテーブルと同様の構成のテーブル（以下、「推定船速テーブル」という）に格納する。
【００５６】  また、推定属性データ取得手段１２５は、船舶８に搭載されている装置の各々に関し、当該装置の運転状態に関する推定属性データを生成する。例えば、主機の運転状態に関する推定属性データを例に説明すると、推定属性データ取得手段１２５は、例えば、気象海象に関する推定属性データ、船速に関する推定属性データ等に基づき、各時期における主機の回転数、負荷、吸気温度、排気温度を推定する。また、推定属性データ取得手段１２５は、例えば主機の運転状態に関する実績属性データが示す過去のシリンダ注油量に基づき、各時期におけるシリンダ注油量を推定する。推定属性データ取得手段１２５は、上記のように推定した主機の回転数等のデータを、主機の運転状態に関する推定属性データとして図１０に示されるテーブルと同様の構成のテーブル（以下、「推定主機運転テーブル」という）に格納する。
【００５７】  なお、推定属性データ取得手段１２５は、時間の経過に伴い、記憶しているテーブル（推定航路テーブル等）のデータレコードのうち、時期データが示す時期が既に過ぎているものを削除する。
【００５８】  再び図１２に戻り、サーバ装置１２の機能構成の説明を続ける。サーバ装置１２は、関係データ生成手段１２３により生成された関係データ、実績属性データ取得手段１２１により取得された実績属性データ、推定属性データ取得手段１２５により取得された推定属性データに基づき、船舶８に搭載されている機器の各々に関し、当該機器の保守作業の時期を示す時期データを生成する時期データ生成手段１２６を備える。
【００５９】  具体的には、時期データ生成手段１２６は、船舶８に搭載されている機器の各々に関し、まず、保守作業テーブル（図１１参照）が示す機器に関し最後に保守作業が行われた日時（以下、「最終保守作業日時ｔｓ」という）を特定する。続いて、時期データ生成手段１２６は、実績属性データ取得手段１２１に記憶されているテーブル（実績航路テーブル等）に含まれるデータレコードのうち、最終保守作業日時ｔｓ以降のものを抽出する。
【００６０】  続いて、時期データ生成手段１２６は、実績属性データ取得手段１２１に記憶されているテーブルから抽出した最終保守作業日時ｔｓ以降に関するデータレコードに示される属性値と、推定属性データ取得手段１２５に記憶されているテーブル（推定航路テーブル等）のデータレコードに示される属性値とに基づき、最終保守作業日時ｔｓから将来の或る日時ｔｅまでの属性値の代表値（例えば、平均値、最頻値等）を特定する。時期データ生成手段１２６は、最終保守作業日時ｔｓから将来の或る日時ｔｅまでの属性値の代表値を、関係データ生成手段１２３により生成された劣化度算出式に説明変数として代入することにより、機器の日時ｔｅにおける劣化度の推定値（以下、「推定劣化度Ｄ（ｔｅ）という」）を算出する。
【００６１】  時期データ生成手段１２６は、推定劣化度Ｄ（ｔｅ）を、日時ｔｅを変更しながら繰り返し算出し、推定劣化度Ｄ（ｔｅ）が所定の閾値範囲内（例えば、「９０〜１００」）となる日時ｔｅの範囲を、機器の保守作業の時期として特定する。時期データ生成手段１２６は、特定した時期を示す時期データを生成する。
【００６２】  また、サーバ装置１２は、船舶８に搭載されている機器の各々に関する保守作業の制約条件を示す保守作業制約条件データを、例えば各港で保守作業を行う修理業者の端末装置等（図１において図示略）から取得する保守作業制約条件データ取得手段１２７を備える。保守作業制約条件データ取得手段１２７は、修理業者の端末装置等から送信されてくる保守作業制約条件データをテーブル（以下、「保守作業制約条件テーブル」という）に格納し管理する。
【００６３】  図１４は保守作業制約条件テーブルの構成を示した図である。保守作業制約条件テーブルは、修理業者と保守作業の対象となる機器の種別の組み合わせの各々に応じたデータレコードの集まりである。保守作業制約条件テーブルはデータフィールドとして、修理業者を識別するデータを格納する［修理業者］、保守作業が行われる港を識別するデータを格納する［港］、保守対象の機器を識別するデータを格納する［装置種別］および［部品種別］、保守作業の名称を格納する［保守作業名］、保守作業に要する日数を格納する［所要日数］、保守作業の依頼時期に関する条件（例えば、１ヶ月前までの依頼が必要など）を格納する［依頼時期］を有している。
【００６４】  なお、保守作業制約条件データ取得手段１２７は、新たに受信した保守作業制約条件データが示す修理業者、港、装置種別、部品種別、保守作業名が同一の保守作業制約条件データが既に保守作業制約条件テーブルに格納されている場合、新たに受信した保守作業制約条件データで古い保守作業制約条件データを上書きする。
【００６５】  再び図１２に戻り、サーバ装置１２の機能構成の説明を続ける。サーバ装置１２は、時期データ、航行スケジュールデータ、および保守作業制約条件データに基づき機器の保守作業の時期と場所を特定し、特定した時期および場所を示す保守作業スケジュールデータを生成する保守作業スケジュールデータ生成手段１２８を備える。
【００６６】  具体的には、保守作業スケジュールデータ生成手段１２８は、船舶８に搭載されている機器の各々に関し、航行スケジュールデータと保守作業制約条件データに基づき、時期データ生成手段１２６により生成された時期データが示す時期において船舶８が寄港し、かつ、保守作業が可能な港を１以上特定し、特定した港および当該港に停泊する期間を示す保守作業スケジュールデータを生成する。
【００６７】  保守作業スケジュールデータ生成手段１２８は生成した保守作業スケジュールデータをテーブル（以下、「保守作業スケジュールテーブル」という）に記憶する。図１５は、保守作業スケジュールテーブルの構成を示した図である。保守作業スケジュールテーブルは、保守作業の対象の機器の各々に応じたデータレコードの集まりである。保守作業スケジュールテーブルはデータフィールドとして、機器を識別するデータを格納する［装置名］および［部品名］、保守作業を識別するデータを格納する［保守作業名］、保守作業が行われるべき期間を示すデータを格納する［期間］、保守作業が行われるべき場所を示すデータを格納する［港名］を有している。
【００６８】  なお、保守作業スケジュールデータ生成手段１２８は或る機器に関し新たな保守作業スケジュールデータを生成した場合、保守作業スケジュールテーブルの当該機器に応じたデータレコードのデータを、新たに生成したデータで上書きする。
【００６９】  また、サーバ装置１２は、保守作業スケジュールデータ生成手段１２８により生成された保守作業スケジュールデータを端末装置１１に送信する送信手段１２９を備える。送信手段１２９は、例えば所定時間の経過毎に、その時点で保守作業スケジュールデータ生成手段１２８に記憶されている保守作業スケジュールテーブルを通信衛星９経由で端末装置１１に送信する。
【００７０】  以上が、サーバ装置１２の機能構成である。サーバ装置１３の機能構成は、要求に応じて要求元に対しデータ配信を行う一般的なサーバ装置の機能構成と同様であるため、説明を省略する。端末装置１４の機能構成は、サーバ装置にデータを要求し、要求に応じて送信されてくるデータを表示する一般的な端末装置の機能構成と同様であるため、説明を省略する。
【００７１】  端末装置１１は、サーバ装置１２から送信されてくる保守作業スケジュールテーブルを受信すると、表示手段１１５により保守作業スケジュール表示画面を表示する。図１６は、保守作業スケジュール表示画面を例示した図である。保守作業スケジュール表示画面には、船舶８の航行スケジュールが各寄港地における停泊期間により示される。また、保守作業スケジュール表示画面には、各寄港地において保守作業が行われるべき機器の名称が示される。船舶８の作業員等は、保守作業スケジュール表示画面により、様々な機器の保守作業をいつどこで行うことが望ましいかを容易に知ることができる。
【００７２】  上記のように、保守作業管理システム１によれば、船舶８に搭載されている機器の保守作業が行われるべき時期がユーザに提示される。ユーザに提示される保守作業の時期は、船舶８の航行の状態に関する様々な属性の影響が考慮された時期である。従って、それらの属性の影響が考慮されない場合と比較し、ユーザはより適正な保守作業の時期を知ることができる。また、保守作業管理システム１によれば、船舶８に搭載されている機器の保守作業が行われるべき場所がユーザに提示される。従って、ユーザは、例えば保守作業に要する交換部品を保守作業を行う港に配送するように予め手配をしたり、保守作業に要する時間を考慮してバースウィンドウの調整をしたりすることができる。
【００７３】［変形例］  上述した実施形態は、本発明の技術的思想の範囲内で様々に変形することができる。以下にそれらの変形の例を示す。なお、以下の２以上の変形例が組み合わされてもよい。
【００７４】（１）上述した保守作業管理システム１の端末装置１１が行う処理の少なくとも一部をサーバ装置１２が行う構成が採用されてもよい。また、上述した保守作業管理システム１のサーバ装置１２が行う処理の少なくとも一部を端末装置１１が行う構成が採用されてもよい。例えば、保守作業管理システム１がサーバ装置１２を備えず、上述した実施形態においてサーバ装置１２により行われていた処理が全て端末装置１１により行われてもよい。
【００７５】（２）上述した実施形態において、関係データ生成手段１２３は、或る船舶８に関する関係データを生成する際に、その船舶８ではない他の船舶に関する実績属性データおよび劣化度データを用いない。これに代えて、関係データ生成手段１２３が、例えば或る船舶８に関する関係データを生成する際に、その船舶８と同じ型式の他の船舶に関する実績属性データおよび劣化度データを用いてもよい。
【００７６】（３）上述した実施形態において、気象または海象に関する実績属性データは全て、船舶８において計測等により取得されたデータが用いられる。これに代えて、サーバ装置１３から取得された気象海象データが、気象または海象に関する実績属性データの少なくとも一部として用いられてもよい。
【００７７】（４）上述した実施形態において、端末装置１１およびサーバ装置１２は一般的なコンピュータがプログラムに従った処理を実行することにより実現される。これに代えて、端末装置１１およびサーバ装置１２の少なくとも一方が、いわゆる専用装置として構成されてもよい。
【００７８】（５）上述した実施形態において、劣化度データは、作業員が機器の保守作業を行った際に確認した当該機器の劣化度を示す。或る機器の劣化度を示すデータを計測装置が計測可能である場合、劣化度データ取得手段１２２は、当該計測装置により計測された結果に基づき特定される劣化度を示すデータを、この機器に関する劣化度データとして取得してもよい。
【００７９】（６）上述した実施形態において、関係データが示す劣化度と属性との関係は、ユーザに提示されることはない。これに代えて、関係データが示す劣化度と属性との関係が、作業員や運航管理者等のユーザに表示等により提示される構成が採用されてもよい。
【００８０】（７）上述した実施形態において、時期データは保守作業スケジュールデータの生成に用いられ、時期データが示す内容がそのままユーザに提示されることはない。これに代えて、時期データが示す機器の保守作業の時期が、作業員や運航管理者等のユーザに表示等により提示される構成が採用されてもよい。図１７は時期データが示す或る機器の保守作業の時期を、当該機器の劣化度のトレンドと当該機器の劣化度に影響を与える主要な属性のトレンドと共に示したグラフである。図１７のグラフにおいて横軸は日時を示し、時期データが示す時期は保守作業適正時期開始日時から保守作業適正時期終了日時までの時期として示されている。また、図１７のグラフにおいて縦軸は、劣化度や属性の各々の値（属性の種別によっては累積値）を示す。ただし、図１７には、劣化度と保守作業の時期との関係を示すために、縦軸に保守作業の時期に応じた劣化度の下限閾値「９０」と上限閾値「１００」を示している。また、図１７のグラフの横軸の左端は最後に当該機器の保守作業を行った日時を示す。図１７に例示のグラフによれば、ユーザは直観的に機器の保守作業の時期を知ることができる。
【符号の説明】
【００８１】１…保守作業管理システム、８…船舶、９…通信衛星、１０…コンピュータ、１１…端末装置、１２…サーバ装置、１３…サーバ装置、１４…端末装置、２０…コンピュータ、１０１…メモリ、１０２…プロセッサ、１０３…通信ＩＦ、１０４…表示装置、１０５…操作装置、１１１…実績属性データ取得手段、１１２…劣化度データ取得手段、１１３…送信手段、１１４…受信手段、１１５…表示手段、１２１…実績属性データ取得手段、１２２…劣化度データ取得手段、１２３…関係データ生成手段、１２４…航行スケジュールデータ取得手段、１２５…推定属性データ取得手段、１２６…時期データ生成手段、１２７…保守作業制約条件データ取得手段、１２８…保守作業スケジュールデータ生成手段、１２９…送信手段、２０１…メモリ、２０２…プロセッサ、２０３…通信ＩＦ
【図１】
2016166812.tif 000003
【図２】
2016166812.tif 000004
【図３】
2016166812.tif 000005
【図４】
2016166812.tif 000006
【図５】
2016166812.tif 000007
【図６】
2016166812.tif 000008
【図７】
2016166812.tif 000009
【図８】
2016166812.tif 000010
【図９】
2016166812.tif 000011
【図１０】
2016166812.tif 000012
【図１１】
2016166812.tif 000013
【図１２】
2016166812.tif 000014
【図１３】
2016166812.tif 000015
【図１４】
2016166812.tif 000016
【図１５】
2016166812.tif 000017
【図１６】
2016166812.tif 000018
【図１７】
2016166812.tif 000019
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
船舶に搭載されている機器の運転の状態に関する１以上の属性と、前記船舶の航行の状態に関する属性であって前記機器の運転の状態に関する属性ではない１以上の属性とを含む複数の属性の各々に関し、前記船舶が過去に行った航行における当該属性の実績を示す実績属性データを取得する実績属性データ取得手段と、
前記機器の保守作業において特定された前記機器の劣化度を示す劣化度データを取得する劣化度データ取得手段と、
前記実績属性データ取得手段により取得された実績属性データが示す複数の属性と、前記劣化度データ取得手段により取得された劣化度データが示す劣化度との関係を示す関係データを生成する関係データ生成手段と
を備える装置。
【請求項２】
前記船舶の航行の状態に関する属性であって前記機器の運転の状態に関する属性ではない１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む
請求項１に記載の装置。
【請求項３】
前記関係データ生成手段は、前記実績属性データ取得手段により取得された実績属性データが示す複数の属性を説明変数とし、前記劣化度データ取得手段により取得された劣化度データが示す劣化度を目的変数とする回帰分析により前記関係データを生成する
請求項１または２に記載の装置。
【請求項４】
船舶に搭載されている機器の運転の状態に関する１以上の属性と、前記船舶の航行の状態に関する属性であって前記機器の運転の状態に関する属性ではない１以上の属性とを含む複数の属性の各々と、前記機器の劣化度との関係を示す関係データを取得する関係データ取得手段と、
前記複数の属性の各々に関し、前記船舶が過去に行った航行における当該属性の実績を示す実績属性データを取得する実績属性データ取得手段と、
前記複数の属性の各々に関し、前記船舶の航行において推定される当該属性を示す推定属性データを取得する推定属性データ取得手段と、
前記関係データ取得手段により取得された関係データ、前記実績属性データ取得手段により取得された実績属性データ、および前記推定属性データ取得手段により取得された推定属性データに基づき、前記機器の保守作業の時期を示す時期データを生成する時期データ生成手段と
を備える装置。
【請求項５】
前記推定属性データ取得手段は、前記実績属性データ取得手段により取得された実績属性データが示す前記船舶が過去に行った航行における前記複数の属性の実績に基づき、前記船舶の航行における前記複数の属性を推定し、当該推定した属性を示す推定属性データを生成することにより取得する
請求項４に記載の装置。
【請求項６】
前記船舶の航行のスケジュールを示す航行スケジュールデータを取得する航行スケジュールデータ取得手段と、
前記時期データ生成手段により生成された時期データと、前記航行スケジュールデータ取得手段により取得された航行スケジュールデータとに基づき、前記機器の保守作業の時期および場所を示す保守作業スケジュールデータを生成する保守作業スケジュールデータ生成手段と
を備える請求項４または５に記載の装置。
【請求項７】
前記船舶の航行の状態に関する属性であって前記機器の運転の状態に関する属性ではない１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む
請求項４乃至６のいずれか１項に記載の装置。
【請求項８】
コンピュータに、
船舶に搭載されている機器の運転の状態に関する１以上の属性と、前記船舶の航行の状態に関する属性であって前記機器の運転の状態に関する属性ではない１以上の属性とを含む複数の属性の各々に関し、前記船舶が過去に行った航行における当該属性の実績を示す実績属性データを取得する処理と、
前記機器の保守作業において特定された前記機器の劣化度を示す劣化度データを取得する処理と、
前記実績属性データが示す複数の属性と、前記劣化度データが示す劣化度との関係を示す関係データを生成する処理と
を実行させるためのプログラム。
【請求項９】
コンピュータに、
船舶に搭載されている機器の運転の状態に関する１以上の属性と、前記船舶の航行の状態に関する属性であって前記機器の運転の状態に関する属性ではない１以上の属性とを含む複数の属性の各々と、前記機器の劣化度との関係を示す関係データを取得する処理と、
前記複数の属性の各々に関し、前記船舶が過去に行った航行における当該属性の実績を示す実績属性データを取得する処理と、
前記複数の属性の各々に関し、前記船舶の航行において推定される当該属性を示す推定属性データを取得する処理と、
前記関係データ、前記実績属性データ、および前記推定属性データに基づき、前記機器の保守作業の時期を示す時期データを生成する処理と
を実行させるためのプログラム。
【請求項１０】
コンピュータに、
船舶に搭載されている機器の運転の状態に関する１以上の属性と、前記船舶の航行の状態に関する属性であって前記機器の運転の状態に関する属性ではない１以上の属性とを含む複数の属性の各々に関し、前記船舶が過去に行った航行における当該属性の実績を示す実績属性データを取得する処理と、
前記機器の保守作業において特定された前記機器の劣化度を示す劣化度データを取得する処理と、
前記実績属性データが示す複数の属性と、前記劣化度データが示す劣化度との関係を示す関係データを生成する処理と
を実行させるためのプログラムを持続的に記録するコンピュータ読み取り可能な記録媒体。
【請求項１１】
コンピュータに、
船舶に搭載されている機器の運転の状態に関する１以上の属性と、前記船舶の航行の状態に関する属性であって前記機器の運転の状態に関する属性ではない１以上の属性とを含む複数の属性の各々と、前記機器の劣化度との関係を示す関係データを取得する処理と、
前記複数の属性の各々に関し、前記船舶が過去に行った航行における当該属性の実績を示す実績属性データを取得する処理と、
前記複数の属性の各々に関し、前記船舶の航行において推定される当該属性を示す推定属性データを取得する処理と、
前記関係データ、前記実績属性データ、および前記推定属性データに基づき、前記機器の保守作業の時期を示す時期データを生成する処理と
を実行させるためのプログラムを持続的に記録するコンピュータ読み取り可能な記録媒体。
【手続補正２】
【補正対象書類名】明細書
【補正対象項目名】０００８
【補正方法】変更
【補正の内容】
【０００８】
上記課題を解決するため、本発明は、船舶に搭載されている機器の運転の状態に関する１以上の属性と、前記船舶の航行の状態に関する属性であって前記機器の運転の状態に関する属性ではない１以上の属性とを含む複数の属性の各々に関し、前記船舶が過去に行った航行における当該属性の実績を示す実績属性データを取得する実績属性データ取得手段と、前記機器の保守作業において特定された前記機器の劣化度を示す劣化度データを取得する劣化度データ取得手段と、前記実績属性データ取得手段により取得された実績属性データが示す複数の属性と、前記劣化度データ取得手段により取得された劣化度データが示す劣化度との関係を示す関係データを生成する関係データ生成手段とを備える装置を提供する。
【手続補正３】
【補正対象書類名】明細書
【補正対象項目名】０００９
【補正方法】変更
【補正の内容】
【０００９】
上記の装置において、前記船舶の航行の状態に関する属性であって前記機器の運転の状態に関する属性ではない１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む、という構成が採用されてもよい。
また、上記の装置において、前記関係データ生成手段は、前記実績属性データ取得手段により取得された実績属性データが示す複数の属性を説明変数とし、前記劣化度データ取得手段により取得された劣化度データが示す劣化度を目的変数とする回帰分析により前記関係データを生成する、という構成が採用されてもよい。
【手続補正４】
【補正対象書類名】明細書
【補正対象項目名】００１０
【補正方法】変更
【補正の内容】
【００１０】
また、本発明は、船舶に搭載されている機器の運転の状態に関する１以上の属性と、前記船舶の航行の状態に関する属性であって前記機器の運転の状態に関する属性ではない１以上の属性とを含む複数の属性の各々と、前記機器の劣化度との関係を示す関係データを取得する関係データ取得手段と、前記複数の属性の各々に関し、前記船舶が過去に行った航行における当該属性の実績を示す実績属性データを取得する実績属性データ取得手段と、前記複数の属性の各々に関し、前記船舶の航行において推定される当該属性を示す推定属性データを取得する推定属性データ取得手段と、前記関係データ取得手段により取得された関係データ、前記実績属性データ取得手段により取得された実績属性データ、および前記推定属性データ取得手段により取得された推定属性データに基づき、前記機器の保守作業の時期を示す時期データを生成する時期データ生成手段とを備える装置を提供する。
【手続補正５】
【補正対象書類名】明細書
【補正対象項目名】００１１
【補正方法】変更
【補正の内容】
【００１１】
上記の装置において、前記推定属性データ取得手段は、前記実績属性データ取得手段により取得された実績属性データが示す前記船舶が過去に行った航行における前記複数の属性の実績に基づき、前記船舶の航行における前記複数の属性を推定し、当該推定した属性を示す推定属性データを生成することにより取得する、という構成が採用されてもよい。
【手続補正６】
【補正対象書類名】明細書
【補正対象項目名】００１２
【補正方法】変更
【補正の内容】
【００１２】
また、上記の装置において、前記船舶の航行のスケジュールを示す航行スケジュールデータを取得する航行スケジュールデータ取得手段と、前記時期データ生成手段により生成された時期データと、前記航行スケジュールデータ取得手段により取得された航行スケジュールデータとに基づき、前記機器の保守作業の時期および場所を示す保守作業スケジュールデータを生成する保守作業スケジュールデータ生成手段とを備える、という構成が採用されてもよい。
【手続補正７】
【補正対象書類名】明細書
【補正対象項目名】００１３
【補正方法】変更
【補正の内容】
【００１３】
また、上記の装置において、前記船舶の航行の状態に関する属性であって前記機器の運転の状態に関する属性ではない１以上の属性は、前記船舶が寄港する回数、前記船舶が航行する航路、前記船舶が航行において遭遇する気象または海象、前記船舶の姿勢、前記船舶の主機が用いる燃料油の特性のうちの少なくとも１つを含む、という構成が採用されてもよい。
【手続補正８】
【補正対象書類名】明細書
【補正対象項目名】００１４
【補正方法】変更
【補正の内容】
【００１４】
また、本発明は、コンピュータに、船舶に搭載されている機器の運転の状態に関する１以上の属性と、前記船舶の航行の状態に関する属性であって前記機器の運転の状態に関する属性ではない１以上の属性とを含む複数の属性の各々に関し、前記船舶が過去に行った航行における当該属性の実績を示す実績属性データを取得する処理と、前記機器の保守作業において特定された前記機器の劣化度を示す劣化度データを取得する処理と、前記実績属性データが示す複数の属性と、前記劣化度データが示す劣化度との関係を示す関係データを生成する処理とを実行させるためのプログラムを提供する。
【手続補正９】
【補正対象書類名】明細書
【補正対象項目名】００１５
【補正方法】変更
【補正の内容】
【００１５】
また、本発明は、コンピュータに、船舶に搭載されている機器の運転の状態に関する１以上の属性と、前記船舶の航行の状態に関する属性であって前記機器の運転の状態に関する属性ではない１以上の属性とを含む複数の属性の各々と、前記機器の劣化度との関係を示す関係データを取得する処理と、前記複数の属性の各々に関し、前記船舶が過去に行った航行における当該属性の実績を示す実績属性データを取得する処理と、前記複数の属性の各々に関し、前記船舶の航行において推定される当該属性を示す推定属性データを取得する処理と、前記関係データ、前記実績属性データ、および前記推定属性データに基づき、前記機器の保守作業の時期を示す時期データを生成する処理とを実行させるためのプログラムを提供する。
【手続補正１０】
【補正対象書類名】明細書
【補正対象項目名】００１６
【補正方法】変更
【補正の内容】
【００１６】
また、本発明は、コンピュータに、船舶に搭載されている機器の運転の状態に関する１以上の属性と、前記船舶の航行の状態に関する属性であって前記機器の運転の状態に関する属性ではない１以上の属性とを含む複数の属性の各々に関し、前記船舶が過去に行った航行における当該属性の実績を示す実績属性データを取得する処理と、前記機器の保守作業において特定された前記機器の劣化度を示す劣化度データを取得する処理と、前記実績属性データが示す複数の属性と、前記劣化度データが示す劣化度との関係を示す関係データを生成する処理とを実行させるためのプログラムを持続的に記録するコンピュータ読み取り可能な記録媒体を提供する。
【手続補正１１】
【補正対象書類名】明細書
【補正対象項目名】００１７
【補正方法】変更
【補正の内容】
【００１７】
また、本発明は、コンピュータに、船舶に搭載されている機器の運転の状態に関する１以上の属性と、前記船舶の航行の状態に関する属性であって前記機器の運転の状態に関する属性ではない１以上の属性とを含む複数の属性の各々と、前記機器の劣化度との関係を示す関係データを取得する処理と、前記複数の属性の各々に関し、前記船舶が過去に行った航行における当該属性の実績を示す実績属性データを取得する処理と、前記複数の属性の各々に関し、前記船舶の航行において推定される当該属性を示す推定属性データを取得する処理と、前記関係データ、前記実績属性データ、および前記推定属性データに基づき、前記機器の保守作業の時期を示す時期データを生成する処理とを実行させるためのプログラムを持続的に記録するコンピュータ読み取り可能な記録媒体を提供する。
【国際調査報告】
2016166812.tif 000020
2016166812.tif 000021